(57)【要約】【課題】複数のボイスコイルによって広音域を再生可能でありながらこれらボイスコイルを備えた振動部に隙間がないスピーカを提供する。【解決手段】スピーカ１は磁気回路部３と振動部５とを備えている。振動部５は第１のボイスコイル５１と第１のボイスコイルボビン５３と第２のボイスコイル５２と第２のボイスコイルボビン５４と一つの振動板５５とを備えている。第１のボイスコイルボビン５３には第１のボイスコイル５１が巻き回される。第２のボイスコイル５２は第１のボイスコイル５１の内側に配される。第２のボイスコイルボビン５４には第２のボイスコイル５２が巻き回される。振動板５５には第１のボイスコイルボビン５３と第２のボイスコイルボビン５４とが取り付けられる。【選択図】図１
2009206902.tif 000002
【特許請求の範囲】
【請求項１】
フレームと、前記フレームに支持される磁気回路部と、前記フレームに支持される振動部と、を備えたスピーカにおいて、
前記振動部が、
音声電流が供給される第１のボイスコイルと、
前記第１のボイスコイルが巻き回される第１のボイスコイルボビンと、
前記第１のボイスコイルの内側に配され、かつ、音声電流が供給される第２のボイスコイルと、
前記第２のボイスコイルが巻き回される第２のボイスコイルボビンと、
前記第１のボイスコイルボビンと前記第２のボイスコイルボビンとが取り付けられる一つの振動板と、を備えたことを特徴とするスピーカ。
【請求項２】
前記磁気回路部が、前記第１のボイスコイルを内部に配する第１の磁気ギャップと、前記第１の磁気ギャップの内側に配され前記第２のボイスコイルを内部に配する第２の磁気ギャップと、を備えるとともに、
前記第１の磁気ギャップの磁束密度の大きさＢｇ１と前記第１のボイスコイルの線長ｌ１との積Ｂｇ１×ｌ１と、
前記第２の磁気ギャップの磁束密度の大きさＢｇ２と前記第２のボイスコイルの線長ｌ２との積Ｂｇ２×ｌ２と、が互いに等しいことを特徴とする請求項１に記載のスピーカ。
【請求項３】
前記第１のボイスコイルと前記第２のボイスコイルとに互いに等しい音声電流を供給する供給部を備えたことを特徴とする請求項２に記載のスピーカ。
【請求項４】
前記第１のボイスコイルボビンが、前記振動板の外縁部に取り付けられ、
前記第２のボイスコイルボビンが、前記振動板の中央部に取り付けられ、かつ、ダンパを介して前記磁気回路部に取り付けられたことを特徴とする請求項１ないし請求項３のうちいずれか一項に記載のスピーカ。
【発明の詳細な説明】
【技術分野】
【０００１】
本発明は、例えば、音声電流が供給されることで振動板を振動させて音を発生するスピーカに関する。
【背景技術】
【０００２】
例えば、移動体としての自動車には、従来から種々のスピーカが搭載されている。このようなスピーカとして、例えば、有底筒状のフレームと、前記フレーム内に収容された第１及び第２の振動部と、前記フレームに取り付けられかつこれら振動部にそれぞれ駆動力を生じさせる一つの磁気回路部とを備えたスピーカが知られている（例えば、特許文献１参照）。
【０００３】
第１の振動部は、スピーカの外周部に配され、第２の振動部よりも低音域の再生用とされている。第１の振動部は、音声電流が供給される第１のボイスコイルと、第１のボイスコイルが巻き回される第１のボイスコイルボビンと、第１の振動板とを備えている。第１のボイスコイルボビンは、第１の振動板に取り付けられる。
【０００４】
第２の振動部は、スピーカの中心部に配され、第１の振動部よりも高音域の再生用とされている。第２の振動部は、第１のボイスコイルよりも高周波数帯域の音声電流が供給される第２のボイスコイルと、第２のボイスコイルが巻き回される第２のボイスコイルボビンと、第２の振動板とを備えている。第２のボイスコイルボビンは、第２の振動板に取り付けられる。
【０００５】
磁気回路部は、一つの磁気ギャップと、一つの磁石等を備えている。この磁気ギャップ内には第１及び第２のボイスコイルが配され、一つの磁石がこれらボイスコイルに駆動力を生じさせる。なお、駆動力とは、ボイスコイルに音声電流を流した際に生じる電磁気力（ローレンツ力ともいう）を指す。
【０００６】
前述したスピーカは、第１のボイスコイルに第２のボイスコイルよりも低周波数帯域の音声電流が供給されて、第１のボイスコイルに電磁気力（ローレンツ力）が作用することで、第１の振動板を振動させ、前記低周波数帯域の音声電流に応じた低音域の音を発生させる。また、スピーカは、第２のボイスコイルに第１のボイスコイルよりも高周波数帯域の音声電流が供給されて、第２のボイスコイルに電磁気力（ローレンツ力）が作用することで、第２の振動板を振動させ、前記高周波数帯域の音声電流に応じた高音域の音を発生させる。
【特許文献１】特開２００４−２６０２６０号公報
【発明の開示】
【発明が解決しようとする課題】
【０００７】
しかしながら、前述した特許文献１に記載されたスピーカは二つの振動板を有しているので、これら振動板の隙間からスピーカ内にごみや埃等の異物が侵入してしまうという問題がある。このような異物が振動板等に付着すると、音響特性が低下してしまう。また、二つの振動板を有しているので、部品数が多くなってコストがかかる、組立工程の効率が低下するという問題がある。
【０００８】
そこで、二つの振動板を連結して一つにすることが考えられる。しかしながら、前述した特許文献１に記載されたスピーカの第１及び第２の振動板を連結して一つにすると、第１及び第２のボイスコイルに作用する電磁気力（ローレンツ力）の大きさや方向等が殆どの時点で互いに異なるので、各ボイスコイルが一つの振動板を互いに異なった大きさ（振幅）や方向に振動させようとする。そして、各ボイスコイルによる振動板の振動が互いに干渉し合って音に歪みが生じてしまう。
【０００９】
前述した音の歪みは、高音域では振動の振幅が小さいので、それに伴う音の歪みも小さくその影響は小さい。しかし、中音域では振動の振幅が大きいので、発生する歪みも大きなものとなり、この中音域の音の歪みによって音響特性が低下してしまうという問題がある。
【００１０】
本発明は、このような問題に対処することを課題の一例とするものである。本発明の目的は、例えば、複数のボイスコイルによって広音域を再生可能でありながらこれらボイスコイルを備えた振動部に隙間がないスピーカを提供すること、複数のボイスコイルによる振動板の振動が互いに干渉するのを防止して音響特性を向上させたスピーカを提供することにある。
【課題を解決するための手段】
【００１１】
前記課題を解決し目的を達成するために、請求項１に記載の本発明のスピーカは、フレームと、前記フレームに支持される磁気回路部と、前記フレームに支持される振動部と、を備えたスピーカにおいて、前記振動部が、音声電流が供給される第１のボイスコイルと、前記第１のボイスコイルが巻き回される第１のボイスコイルボビンと、前記第１のボイスコイルの内側に配され、かつ、音声電流が供給される第２のボイスコイルと、前記第２のボイスコイルが巻き回される第２のボイスコイルボビンと、前記第１のボイスコイルボビンと前記第２のボイスコイルボビンとが取り付けられる一つの振動板と、を備えたことを特徴としている。
【発明を実施するための最良の形態】
【００１２】
以下、本発明の一実施形態を説明する。本発明の一実施形態にかかるスピーカは、二つのボイスコイルが一つの振動板に取り付けられている。このため、それぞれのボイスコイルが対応する別体の振動板に取り付けられていたときに存在した振動板間の隙間がなくなる。したがって、スピーカ内への異物等の侵入を防止でき、該異物等による音響特性の低下を防止できる。さらに、振動板が一つであるので、部品数を減少させてコストを抑制し、組立工程の効率を向上させることができる。勿論、二つのボイスコイルによって、広音域をより高音質で再生できる。
【００１３】
第１の磁気ギャップの磁束密度の大きさＢｇ１と第１のボイスコイルの線長ｌ１との積Ｂｇ１×ｌ１と、第２の磁気ギャップの磁束密度の大きさＢｇ２と第２のボイスコイルの線長ｌ２との積Ｂｇ２×ｌ２とが互いに等しい。このため、それぞれのボイスコイルに等しい音声電流を供給することで、二つのボイスコイルに作用する駆動力を等しくできる。
【００１４】
二つのボイスコイルに互いに等しい音声電流を供給する供給部を備えている。このため、それぞれのボイスコイルに作用する駆動力が等しくなり、二つのボイスコイルが等しい駆動力で振動板を振動させる。したがって、二つのボイスコイルによる振動板の振動が干渉し合うことがなく、高音質な音を再生して音響特性を向上させることができる。
【００１５】
第１のボイスコイルボビンが振動板の外縁部に取り付けられ、第２のボイスコイルボビンが振動板の中央部に取り付けられかつダンパを介して磁気回路部に取り付けられている。このため、第１のボイスコイルが振動板の外周部分を振動させて中音域を再生し、第２のボイスコイルが振動板の中央部分を振動させて高音域を再生する。したがって、広音域をより高音質で再生できる。また、二つのボイスコイルが振動板上の離れた部分を振動させるので、二つのボイスコイルによる振動板の振動の干渉がさらに起こりにくく、より高音質で再生できる。
【実施例】
【００１６】
本発明の一実施例を、図１ないし図４に基づいて説明する。図１に示す本発明の一実施例に係るスピーカ１は、例えば、移動体としての自動車等に搭載されて、該自動車の乗員に音声情報を提供する。
【００１７】
スピーカ１は、図１に示すように、フレーム２と、磁気回路部３と、振動部５と、供給部６（図４）とを備えている。フレーム２は、アルミニウム等の金属で構成されている。フレーム２は、円環状に形成されている。フレーム２の内縁部の一方の外表面２ａには、振動部５の後述するエッジ５７が取り付けられる。他方の外表面２ｂには、磁気回路部３の後述するヨークカバー３１が取り付けられる。
【００１８】
磁気回路部３は、フレーム２に固定されて、フレーム２に支持されている。磁気回路部３は、磁性体（所謂、常磁性体又は強磁性体）等で構成されたヨークカバー３１と、磁石３２と、磁性体（所謂、常磁性体又は強磁性体）等で構成されたヨークプレート３３とを備えている。
【００１９】
ヨークカバー３１は、円盤状のボトムカバー３４と、該ボトムカバー３４の周縁から立設した外筒部３５と、該ボトムカバー３４の中心から立設した内筒部３６とを一体に備えている。
【００２０】
外筒部３５の外径は、フレーム２の内径より大きく、フレーム２の外径より小さい。外筒部３５の先端は、例えば図示しないボルトとナット等によって、フレーム２の前述した他方の外表面２ｂに固定されている。また、外筒部３５の先端には、フランジ状の突部３５ａが設けられている。突部３５ａは、外筒部３５の内周面から該外筒部３５の内側に向かって突出し、外筒部３５の周方向全体に亘って設けられている。
【００２１】
内筒部３６の外径と内径とは、勿論、外筒部３５の内径より小さい。内筒部３６は、外筒部３５と同軸に配され、外筒部３５よりも中心軸方向の長さが短い。内筒部３６の先端には、フランジ状の突部３６ａが設けられている。突部３６ａは、内筒部３６の外周面から該内筒部３６の外側に向かって突出し、内筒部３６の周方向全体に亘って設けられている。内筒部３６内には、吸音材３７が収容される。吸音材３７は、例えばグラスウール等の通気性を有する材料で構成されている。
【００２２】
前述した構成のヨークカバー３１は、内磁型磁気回路を構成する。本実施例では内磁型磁気回路を開示するが、本発明では、外磁型磁気回路や、内磁型や外磁型を併用した磁気回路（ボイスコイルボビンの内部と外部に磁石を配置した磁気回路）を適用してもよい。
【００２３】
磁石３２は、円環状に形成されている。磁石３２の内径は内筒部３６の外径よりも大きく、磁石３２の外径は外筒部３５の内径よりも小さい。磁石３２は、内側に内筒部３６を通して、ボトムカバー３４上に重ねられる。磁石３２は、永久磁石又は直流電流により励磁されるものでもよい。また、本実施例では磁石３２は円環状とされているが、例えば円盤状の磁石を複数備え、これら磁石をボトムカバー３４の周方向に沿って並べてもよい。
【００２４】
ヨークプレート３３は、円環状のプレート本体３８と、該プレート本体３８の外周縁から立設した外筒部３９と、該プレート本体３８の内周縁から立設した内筒部４０と、外筒部３９と内筒部４０との間に形成された凹部４１とを備えている。
【００２５】
外筒部３９の外径は、ヨークカバー３１の外筒部３５の内径より小さい。外筒部３９の先端には、フランジ状の突部３９ａが設けられている。突部３９ａは、外筒部３９の外周面から該外筒部３９の外側に向かって突出し、外筒部３９の周方向全体に設けられている。突部３９ａは、その先端面がヨークカバー３１の外筒部３５の突部３５ａの先端面と間隔をあけて相対するように設けられている。
【００２６】
内筒部４０の外径と内径とは、勿論、外筒部３９の内径よりも小さい。内筒部４０の内径は、ヨークカバー３１の内筒部３６の外径よりも大きい。内筒部４０は、外筒部３９と同軸に配され、外筒部３９よりも中心軸方向の長さが短い。内筒部４０の先端には、フランジ状の突部４０ａが設けられている。突部４０ａは、内筒部４０の内周面から該内筒部４０の内側に向かって突出し、内筒部４０の周方向全体に亘って設けられている。突部４０ａは、その先端面がヨークカバー３１の内筒部３６の突部３６ａの先端面と間隔をあけて相対するように設けられている。
【００２７】
凹部４１は、外筒部３９の内周面と内筒部４０の外周面との間に形成された空間である。凹部４１は、断面コ字状の溝状に形成され、ヨークプレート３３の周方向全体に亘って設けられている。凹部４１内には、吸音材４２が収容されている。吸音材４２は、例えばグラスウール等の通気性を有する材料で構成されている。
【００２８】
前述したヨークプレート３３は、プレート本体３８がボトムカバー３４に重ねられた磁石３２上に重ねられ、内筒部４０が内側にヨークカバー３１の内筒部３６を通した状態で、ヨークカバー３１の外筒部３５の内周面と内筒部３６の外周面との間に形成される空間内に配される。磁石３２は、プレート本体３８とボトムカバー３４との間に挟まれて保持される。そして、ヨークプレート３３は、図示しないボルトとナット等によってヨークカバー３１に固定される。
【００２９】
前述したヨークカバー３１と、磁石３２と、ヨークプレート３３とは、その中心が略同じになるように、同軸に配されている。このため、磁石３２及びヨークプレート３３の外筒部３９の外周面は、ヨークカバー３１の外筒部３５の内周面と間隔をあけている。また、磁石３２及びヨークプレート３３の内筒部４０の内周面は、ヨークカバー３１の内筒部３６の外周面と間隔をあけている。
【００３０】
前述した構成によって、磁気回路部３には、図２に示すように、第１及び第２の磁気ギャップＧ１、Ｇ２が形成される。第１の磁気ギャップＧ１は、磁石３２の外側に形成されている。第１の磁気ギャップＧ１は、ヨークカバー３１の外筒部３５の突部３５ａの先端面と、ヨークプレート３３の外筒部３９の突部３９ａの先端面との間に形成されている。第１の磁気ギャップＧ１は、その大きさがＢｇ１の磁束密度Ｂ１を有する。
【００３１】
第２の磁気ギャップＧ２は、磁石３２の内側に形成されている。第２の磁気ギャップＧ２は、ヨークカバー３１の内筒部３６の突部３６ａの先端面と、ヨークプレート３３の内筒部４０の突部４０ａの先端面との間に形成されている。第２の磁気ギャップＧ２は、その大きさがＢｇ２の磁束密度Ｂ２を有する。
【００３２】
前述した第１及び第２の磁気ギャップＧ１、Ｇ２は、磁石３２の外側に第１の磁気ギャップＧ１が形成され、磁石３２の内側に第２の磁気ギャップＧ２が形成されている。このため、第１の磁気ギャップＧ１に生じる磁束密度Ｂ１の方向と、第２の磁気ギャップＧ２に生じる磁束密度Ｂ２の方向とは互いに反対方向になる。図２に示すように、例えば磁石３２のＮ極をヨークカバー３１側（図２中、下側）、Ｓ極をヨークプレート３３側（図２中、上側）とすると、磁束密度Ｂ１の方向はスピーカ１の外側から内側に向かう方向となり、磁束密度Ｂ２の方向はスピーカ１の内側から外側に向かう方向となる。
【００３３】
振動部５は、フレーム２に固定されて、フレーム２に支持されている。振動部５は、図１に示すように、第１のボイスコイル５１と、第２のボイスコイル５２と、第１のボイスコイルボビン５３と、第２のボイスコイルボビン５４と、一つの振動板５５と、ダンパ５６等を備えている。
【００３４】
第１のボイスコイル５１は、線長ｌ１の導線が円筒状に巻かれて形成されている。第１のボイスコイル５１は、図３に示す矢印Ｒ１方向に沿って第１のボイスコイルボビン５３の外周面に巻き回されている。第１のボイスコイル５１は、振動板５５を駆動させる前は磁気回路部３の前述した第１の磁気ギャップＧ１内に配されている。第１のボイスコイル５１には、音声電流Ｉ１が供給される。
【００３５】
第２のボイスコイル５２は、線長ｌ２の導線が円筒状に巻かれて形成されている。第２のボイスコイル５２は、図３に示す矢印Ｒ２方向に沿って第２のボイスコイルボビン５４の外周面に巻き回されている。第２のボイスコイル５２が第２のボイスコイルボビン５４に巻き回される方向Ｒ２は、第１のボイスコイル５１が第１のボイスコイルボビン５３に巻き回される方向Ｒ１と反対方向とされている。第２のボイスコイル５２は、振動板５５を駆動させる前は磁気回路部３の前述した第２の磁気ギャップＧ２内に配されている。第２のボイスコイル５２には、音声電流Ｉ２が供給される。
【００３６】
第１のボイスコイルボビン５３は、円筒状に形成されている。第１のボイスコイルボビン５３の内径は、ヨークプレート３３の外筒部３９及び磁石３２の外径よりも大きい。第１のボイスコイルボビン５３の外径は、ヨークカバー３１の外筒部３５の内径よりも小さい。第１のボイスコイルボビン５３は、ヨークカバー３１とヨークプレート３３と第１のボイスコイル５１等と同軸に配されている。第１のボイスコイルボビン５３は、その一端部が第１の磁気ギャップＧ１へと挿入されており、該一端部の外周面に第１のボイスコイル５１を取り付けている。第１のボイスコイルボビン５３は、振動板５５や後述するエッジ５７等によって、ヨークカバー３１とヨークプレート３３の中心軸に沿って移動自在に支持されている。なお、ヨークカバー３１とヨークプレート３３の中心軸は、スピーカ１の中心軸と略同じである。
【００３７】
第２のボイスコイルボビン５４は、円筒状に形成されている。第２のボイスコイルボビン５４の内径は、ヨークカバー３１の内筒部３６の外径よりも大きい。第２のボイスコイルボビン５４の外径は、ヨークプレート３３の内筒部４０及び磁石３２の内径よりも小さい。第２のボイスコイルボビン５４は、ヨークカバー３１とヨークプレート３３と第２のボイスコイル５２等と同軸に配されている。また、第２のボイスコイルボビン５４と第２のボイスコイル５２とは、第１のボイスコイル５１と第１のボイスコイルボビン５３と同軸に配されかつこれらの内側に配されている。第２のボイスコイルボビン５４は、その一端部が第２の磁気ギャップＧ２へと挿入されており、該一端部の外周面に第２のボイスコイル５２を取り付けている。第２のボイスコイルボビン５４は、振動板５５やダンパ５６等によって、ヨークカバー３１とヨークプレート３３の中心軸に沿って移動自在に支持されている。
【００３８】
振動板５５は、例えば樹脂等で構成されている。振動板５５は、図３に示すように、円盤状に形成されている。振動板の円環状の外周部分５５ａ（図３中、平行斜線で示す）は、振動板の円状の中心部分５５ｂ（図３中、白抜きで示す）よりも肉厚に形成されている。振動板５５の外径は、第１のボイスコイルボビン５３の内径と略等しい。振動板５５の外縁部（即ち、外周部分５５ａの外縁部）は、第１の磁気ギャップＧ１外に配される第１のボイスコイルボビン５３の他端部に取り付けられている。また、振動板５５の中央部（即ち、中心部分５５ｂの外縁部）は、第２の磁気ギャップＧ２外に配される第２のボイスコイルボビン５４の他端部に取り付けられている。さらに、振動板５５の外縁部には、エッジ５７が取り付けられている。
【００３９】
エッジ５７は、円環状に形成され、弾性変形自在に形成されている。エッジ５７の内縁部は、振動板５５の外縁部に接着剤等によって取り付けられている。エッジ５７の外縁部は、フレーム２の前述した一方の外表面２ａに接着剤等によって取り付けられている。振動板５５は、エッジ５７を介してフレーム２に取り付けられている。
【００４０】
ダンパ５６は、円環状に形成され、弾性変形自在に形成されている。ダンパ５６は、その内縁部が第２のボイスコイルボビン５４の外周面に取り付けられ、その外縁部が磁気回路部３の突部４０ａに取り付けられている。即ち、第２のボイスコイルボビン５４は、ダンパ５６を介して磁気回路部３に取り付けられている。
【００４１】
前述した振動部５の振動板５５、エッジ５７及びダンパ５６は、勿論、フレーム２及び磁気回路部３と同軸に配されている。振動部５は、第１及び第２のボイスコイル５１、５２に音声情報に応じた音声電流Ｉ１、Ｉ２が供給されると、第１及び第２のボイスコイルボビン５３、５４によってボイスコイル５１、５２の振動が伝えられた振動板５５が前述した中心軸に沿って振動して、音声電流Ｉ１、Ｉ２に応じた音を発生する。即ち、振動板５５は、ボイスコイル５１、５２に作用する駆動力Ｆ１、Ｆ２（後述する）によって振動する。
【００４２】
また、前述した振動板５５及びエッジ５７と、フレーム２の内縁部とヨークカバー３１とで囲まれた空間は、密閉されている。即ち、該空間は、気密に保たれている。このため、前述した振動部５は、第１及び第２のボイスコイル５１、５２が中心軸に沿って振動して振動板５５が振動する際に、該空間にある空気が振動板５５及びエッジ５７の変位によって圧縮と膨張を繰り返すことで、空気バネとしてのバネ性が発現される。
【００４３】
供給部６は、図４に示すように、ケース本体６１と、一つの入力端子６２と、二つの出力端子６３、６４とを少なくとも備えている。ケース本体６１は、例えば絶縁性の合成樹脂等で構成され、入力端子６２や出力端子６３、６４を内部に収容している。
【００４４】
入力端子６２と出力端子６３、６４とは、導電性の金属等で構成され、互いに電気的に接続されている。入力端子６２は、リード線６５等を介して外部機器６６と電気的に接続されている。外部機器６６は、例えば、前述した自動車等に搭載されるアンプである。入力端子６２には、外部機器６６から音声電流Ｉ０が入力される。
【００４５】
一方の出力端子６３は、リード線６５等を介して第１のボイスコイル５１と電気的に接続されている。出力端子６３は、第１のボイスコイル５１に向かって音声電流Ｉ１を供給（出力）する。他方の出力端子６４は、リード線６５等を介して第２のボイスコイル５２と電気的に接続されている。出力端子６４は、第２のボイスコイル５２に向かって音声電流Ｉ２を供給（出力）する。
【００４６】
前述した供給部６は、外部機器６６から入力された音声電流Ｉ０を分岐して、ボイスコイル５１、５２にそれぞれ等しい音声電流Ｉ１、Ｉ２を供給（出力）する。即ち、音声電流Ｉ１、Ｉ２の振幅、周波数及び位相は互いに等しい（Ｉ１＝Ｉ２）。
【００４７】
そして、本発明においては、第１の磁気ギャップＧ１の磁束密度Ｂ１の大きさＢｇ１と第１のボイスコイル５１の線長ｌ１の積Ｂｇ１×ｌ１と、第２の磁気ギャップＧ２の磁束密度Ｂ２の大きさＢｇ２と第２のボイスコイル５２の線長ｌ２の積Ｂｇ２×ｌ２とは、互いに等しくなるように設けられている。
【００４８】
一般に、ボイスコイルに作用する駆動力（電磁気力、ローレンツ力）をＦとし、該ボイスコイルを内部に配する磁気ギャップの磁束密度の大きさをＢｇとし、該ボイスコイルの線長をｌとし、該ボイスコイルに供給される音声電流の大きさをｉとすると、Ｆ＝Ｂｇ×ｌ×ｉと表される。即ち、第１のボイスコイル５１に作用する駆動力Ｆ１＝Ｂｇ１×ｌ１×ｉ１、第２のボイスコイル５２に作用する駆動力Ｆ２＝Ｂｇ２×ｌ２×ｉ２、と表される。前述したように、Ｉ１＝Ｉ２即ちｉ１＝ｉ２であり、Ｂｇ１×ｌ１＝Ｂｇ２×ｌ２であるので、駆動力Ｆ１、Ｆ２は常に互いに同じ大きさになる。
【００４９】
さらに、図２及び図３に示すように、第１のボイスコイル５１において導線を巻き回す方向Ｒ１（図３）と、第２のボイスコイル５２において導線を巻き回す方向Ｒ２（図３）とは、互いに反対方向とされている。これは、前述したように第１及び第２の磁気ギャップＧ１、Ｇ２に生じる磁束密度Ｂ１、Ｂ２の方向が互いに反対方向であるためである。これによって、駆動力Ｆ１、Ｆ２は常に互いに同方向になる。以上より、駆動力Ｆ１、Ｆ２は、互いに同じ大きさかつ同じ方向となる（互いに等しい）。
【００５０】
前述した構成のスピーカ１は、リード線６５を介して、供給部６から第１のボイスコイル５１に音声電流Ｉ１が供給され、該音声電流Ｉ１に応じて第１の磁気ギャップＧ１内に配された第１のボイスコイル５１に駆動力Ｆ１が作用して、第１のボイスコイル５１が前述した中心軸に沿って振動する。そして、その外周面に第１のボイスコイル５１が巻かれた第１のボイスコイルボビン５３が、中心軸に沿って振動する。
【００５１】
また、このとき、供給部６から第２のボイスコイル５２に音声電流Ｉ２が供給され、該音声電流Ｉ２に応じて第２の磁気ギャップＧ２内に配された第２のボイスコイル５２に駆動力Ｆ２が作用して、第２のボイスコイル５２が前述した中心軸に沿って振動する。そして、その外周面に第２のボイスコイル５２が巻かれた第２のボイスコイルボビン５４が、中心軸に沿って振動する。
【００５２】
振動板５５の外周部分５５ａは、第１のボイスコイルボビン５３とともに主に駆動力Ｆ１によって振動する。振動板５５の中心部分５５ｂは、第２のボイスコイルボビン５４とともに主に駆動力Ｆ２によって振動する。このように、第１及び第２のボイスコイル５１、５２の振動が伝えられた振動板５５が振動することによって、音声電流Ｉ１、Ｉ２に応じた音を発生させる。
【００５３】
そして、音声電流Ｉ１、Ｉ２が中音域のときは、互いに等しい駆動力Ｆ１、Ｆ２によって振動板５５の外周部分５５ａと中心部分５５ｂとが同じように振動し、音に歪みが発生することがない。
【００５４】
一方、音声電流Ｉ１、Ｉ２が高音域のときは、第１のボイスコイル５１のインピーダンスが大きくなって、第１のボイスコイル５１が第２のボイスコイル５２よりも振動しにくくなる。このため、互いに等しい駆動力Ｆ１、Ｆ２であっても振動板５５の外周部分５５ａと中心部分５５ｂとが同じように振動せずに、音に歪みが発生する。しかし、高音域では振動板５５の振幅そのものが小さいので発生する音の歪みも小さく、この音の歪みが大きな問題になることはない。
【００５５】
本実施例によれば、第１及び第２のボイスコイル５１、５２が一つの振動板５５に取り付けられている。このため、それぞれのボイスコイル５１、５２が対応する別体の振動板に取り付けられていたときに存在した振動板間の隙間がなくなる。したがって、スピーカ１内への異物等の侵入を防止でき、該異物等による音響特性の低下を防止できる。さらに、振動板５５が一つであるので、部品数を減少させてコストを抑制し、組立工程の効率を向上させることができる。勿論、二つのボイスコイル５１、５２によって、広音域を再生可能である。
【００５６】
また、第１の磁気ギャップＧ１の磁束密度Ｂ１の大きさＢｇ１と第１のボイスコイル５１の線長ｌ１との積Ｂｇ１×ｌ１と、第２の磁気ギャップＧ２の磁束密度Ｂ２の大きさＢｇ２と第２のボイスコイル５２の線長ｌ２との積Ｂｇ２×ｌ２とが互いに等しい。このため、それぞれのボイスコイル５１、５２に等しい音声電流Ｉ１、Ｉ２を供給することで、二つのボイスコイル５１、５２に作用する駆動力Ｆ１、Ｆ２を等しくできる。
【００５７】
また、二つのボイスコイル５１、５２に互いに等しい音声電流Ｉ１、Ｉ２を供給する供給部６を備えている。このため、それぞれのボイスコイル５１、５２に作用する駆動力Ｆ１、Ｆ２が等しくなり、二つのボイスコイル５１、５２が等しい駆動力Ｆ１、Ｆ２で振動板５５を振動させる。したがって、二つのボイスコイル５１、５２による振動板５５の振動が干渉し合うことがなく、高音質な音を再生して音響特性を向上させることができる。
【００５８】
また、第１のボイスコイルボビン５３が振動板５５の外縁部に取り付けられ、第２のボイスコイルボビン５４が振動板５５の中央部に取り付けられかつダンパ５６を介して磁気回路部３に取り付けられている。このため、第１のボイスコイル５１が振動板５５の外周部分５５ａを振動させて中音域を再生し、第２のボイスコイル５２が振動板５５の中心部分５５ｂを振動させて高音域を再生する。したがって、広音域を確実に再生することができ、より高音質な音を再生することができる。また、二つのボイスコイル５１、５２が振動板５５上の離れた部分を振動させるので、二つのボイスコイル５１、５２による振動板５５の振動の干渉がさらに起こりにくく、より高音質で再生できる。
【００５９】
前述した実施例によれば、以下のスピーカ１が得られる。
【００６０】
（付記）  フレーム２と、前記フレーム２に支持される磁気回路部３と、前記フレーム２に支持される振動部５と、を備えたスピーカ１において、
前記振動部５が、
音声電流Ｉ１が供給される第１のボイスコイル５１と、
前記第１のボイスコイル５１が巻き回される第１のボイスコイルボビン５３と、
前記第１のボイスコイル５１の内側に配され、かつ、音声電流Ｉ２が供給される第２のボイスコイル５２と、
前記第２のボイスコイル５２が巻き回される第２のボイスコイルボビン５４と、
前記第１のボイスコイルボビン５３と前記第２のボイスコイルボビン５４とが取り付けられる一つの振動板５５と、を備えたことを特徴とするスピーカ１。
【００６１】
付記によれば、第１及び第２のボイスコイル５１、５２が一つの振動板５５に取り付けられている。このため、それぞれのボイスコイル５１、５２が対応する別体の振動板に取り付けられていたときに存在した振動板間の隙間がなくなる。したがって、スピーカ１内への異物等の侵入を防止でき、該異物等による音響特性の低下を防止できる。さらに、振動板５５が一つであるので、部品数を減少させてコストを抑制し、組立工程の効率を向上させることができる。勿論、二つのボイスコイル５１、５２によって、広音域を再生可能である。
【００６２】
なお、前述した実施例は本発明の代表的な形態を示したに過ぎず、本発明は、実施例に限定されるものではない。即ち、本発明の骨子を逸脱しない範囲で種々変形して実施することができる。
【図面の簡単な説明】
【００６３】
【図１】本発明の一実施例にかかるスピーカの断面図である。
【図２】図１に示されたボイスコイルに作用する駆動力を説明する断面図である。
【図３】図１に示された振動部の上面図である。
【図４】図１に示されたボイスコイルに音声電流を供給する供給部の構成を示す説明図である。
【符号の説明】
【００６４】
１    スピーカ
２    フレーム
３    磁気回路部
５    振動部
６    供給部
５１    第１のボイスコイル
５２    第２のボイスコイル
５３    第１のボイスコイルボビン
５４    第２のボイスコイルボビン
５５    振動板
５６    ダンパ
Ｇ１、Ｇ２    磁気ギャップ
Ｂ１、Ｂ２    磁束密度
Ｂｇ１、Ｂｇ２    磁束密度の大きさ
ｌ１、ｌ２    線長
Ｉ０、Ｉ１、Ｉ２    音声電流
【図１】
2009206902.tif 000003
【図２】
2009206902.tif 000004
【図３】
2009206902.tif 000005
【図４】
2009206902.tif 000006